(57)【要約】移動通信システムにおいて、２つ以上の基地局を介して同一の論理チャネルに該当するデータを伝送する方法は、符号化されたパケットに基づいて第１基地局及び第２基地局により生成された第１サブパケットを伝送する段階と、前記第１サブパケットが伝送されたときから所定の時間周期が経過した後の時点で、前記符号化されたパケットに基づいて第１及び第２基地局のうちの１つにより生成された第２サブパケットを伝送する段階とから構成される。同一の論理チャネルに該当するデータがそれぞれ異なるチャネル環境を有する基地局からブロードキャストされると、データ伝送効率が向上する。
2008529401.tif 000002
【特許請求の範囲】
【請求項１】
同一の論理チャネルを伝送する同一ゾーン内のセクターがパケットデータを伝送するために異なる伝送データレートを用いるようにアクセスネットワークを構成する段階と、
前記異なる伝送データレートを用いてそれぞれの端末に１対多サービスを提供する段階と
から構成されることを特徴とする少なくとも１つのアクセスネットワーク及び複数の端末を有する通信システムのための１対多サービス方法。
【請求項２】
前記構成段階は、前記異なる伝送データレートに関連した伝送フォーマットを使用する段階を含み、ここで、前記伝送フォーマットは、互いに比率可変的（ｒａｔｅ−ｃｏｍｐａｔｉｂｌｅ）であることを特徴とする請求項１に記載の少なくとも１つのアクセスネットワーク及び複数の端末を有する通信システムのための１対多サービス方法。
【請求項３】
前記異なるデータレートは、各セクターのチャネル条件に基づくことを特徴とする請求項２に記載の少なくとも１つのアクセスネットワーク及び複数の端末を有する通信システムのための１対多サービス方法。
【請求項４】
前記アクセスネットワークは、各セクターに関連した少なくとも１つの基地局を含むことを特徴とする請求項３に記載の少なくとも１つのアクセスネットワーク及び複数の端末を有する通信システムのための１対多サービス方法。
【請求項５】
各セクターは、基地局又はセルに関連することを特徴とする請求項３に記載の少なくとも１つのアクセスネットワーク及び複数の端末を有する通信システムのための１対多サービス方法。
【請求項６】
前記提供段階は、伝送フォーマットを利用するパケットをスロットとともに伝送する段階を含み、ここで、各パケットの１番目のスロットの伝送時間は、同一の論理チャネルを伝送する全てのセクターに同期することを特徴とする請求項２に記載の少なくとも１つのアクセスネットワーク及び複数の端末を有する通信システムのための１対多サービス方法。
【請求項７】
１つのセクターは、１つのスロットの長さを有する伝送フォーマットを使用し、他のセクターは、３つのスロットの長さを有する比率可変的な伝送フォーマットを使用することを特徴とする請求項６に記載の少なくとも１つのアクセスネットワーク及び複数の端末を有する通信システムのための１対多サービス方法。
【請求項８】
１つのセクターは、スロットの１番目のスロットの長さを有する伝送フォーマットを使用し、他のセクターは、スロットの２番目のスロットの長さを有する比率可変的な伝送フォーマットを使用することを特徴とする請求項６に記載の少なくとも１つのアクセスネットワーク及び複数の端末を有する通信システムのための１対多サービス方法。
【請求項９】
前記１番目のスロット及び２番目のスロットの数は同一でもよく、異なってもよいことを特徴とする請求項８に記載の少なくとも１つのアクセスネットワーク及び複数の端末を有する通信システムのための１対多サービス方法。
【請求項１０】
前記提供段階は、
代表セクターにより使用される伝送フォーマットを明記するブロードキャストオーバーヘッドメッセージを送信する段階を含むことを特徴とする請求項１に記載の少なくとも１つのアクセスネットワーク及び複数の端末を有する通信システムのための１対多サービス方法。
【請求項１１】
前記伝送フォーマットは、周期を示すために利用されるフィールドを使用し、ここで、前記周期は、所定インタレース・マルチプレックスペア上のパケットの連続的な伝送間のスロットの数を示すことを特徴とする請求項１０に記載の少なくとも１つのアクセスネットワーク及び複数の端末を有する通信システムのための１対多サービス方法。
【請求項１２】
前記フィールドの値は、前記伝送フォーマットの長さより長いか、前記伝送フォーマットの長さと同一であることを特徴とする請求項１１に記載の少なくとも１つのアクセスネットワーク及び複数の端末を有する通信システムのための１対多サービス方法。
【請求項１３】
１つのセクターに関連した周期の少なくとも１つの残りのスロットは、ユニキャスト伝送のために使用されることを特徴とする請求項１１に記載の少なくとも１つのアクセスネットワーク及び複数の端末を有する通信システムのための１対多サービス方法。
【請求項１４】
前記構成段階は、各基地局のチャネル条件によって隣接セクターの少なくとも１つの基地局に可変伝送データレートを独立して割り当てる段階を含むことを特徴とする請求項１に記載の少なくとも１つのアクセスネットワーク及び複数の端末を有する通信システムのための１対多サービス方法。
【請求項１５】
同一ゾーンのセクターが１つのパケットに関連した所定数のサブパケットを形成するようにアクセスネットワークを構成する段階と、
前記１つのパケットに関する所定数のサブパケットを各セクターから伝送する段階とから構成され、
ここで、前記所定数のサブパケットは、各セクターにより独立して決定されることを特徴とする少なくとも１つのアクセスネットワーク及び複数の端末を有する通信システムのための１対多サービス方法。
【請求項１６】
前記サブパケットは、一定間隔で伝送されることを特徴とする請求項１５に記載の少なくとも１つのアクセスネットワーク及び複数の端末を有する通信システムのための１対多サービス方法。
【請求項１７】
１つのセクターがある一定期間に最大数より少ない数のサブパケットを伝送すると、前記１つのパケットと関連していない１つ以上のサブパケットが前記１つのセクターにより伝送されることを特徴とする請求項１６に記載の少なくとも１つのアクセスネットワーク及び複数の端末を有する通信システムのための１対多サービス方法。
【請求項１８】
前記最大数は、最悪のセクターの伝送能力に基づくことを特徴とする請求項１７に記載の少なくとも１つのアクセスネットワーク及び複数の端末を有する通信システムのための１対多サービス方法。
【請求項１９】
前記１つのセクターが最大数より少ない数のサブパケットを伝送することは、前記１つのセクターが少なくとも１つの異なるセクターより少ない数のサブパケットを伝送することを意味することを特徴とする請求項１７に記載の少なくとも１つのアクセスネットワーク及び複数の端末を有する通信システムのための１対多サービス方法。
【請求項２０】
前記関連していないサブパケットは、前記１つのパケットに関連したさらなるサブパケットがスケジューリングされるスロット内でスケジューリングされると、前記ある一定期間に伝送されることを特徴とする請求項１７に記載の少なくとも１つのアクセスネットワーク及び複数の端末を有する通信システムのための１対多サービス方法。
【請求項２１】
前記関連していないサブパケットは、前記ある一定期間に伝送された前記１つのパケットのさらなるサブパケットを代替することを特徴とする請求項１７に記載の少なくとも１つのアクセスネットワーク及び複数の端末を有する通信システムのための１対多サービス方法。
【請求項２２】
前記構成段階は、前記異なるデータレートに関連した伝送フォーマットを使用し、ここで、前記伝送フォーマットは互いに比率可変的であり、前記異なるデータレートは、各セクターのチャネル条件に基づくことを特徴とする請求項１５に記載の少なくとも１つのアクセスネットワーク及び複数の端末を有する通信システムのための１対多サービス方法。
【請求項２３】
前記伝送段階は、スロットを有する伝送フォーマットを使用し、ここで、各パケットの１番目のスロットの伝送時間は、同一の論理チャネルを伝送する全てのセクターに同期されることを特徴とする請求項１５に記載の少なくとも１つのアクセスネットワーク及び複数の端末を有する通信システムのための１対多サービス方法。
【請求項２４】
１つのセクターは、１つのスロットの長さを有する伝送フォーマットを使用するが、他のセクターは、３つのスロットの長さを有する比率可変的な伝送フォーマットを使用することを特徴とする請求項２３に記載の少なくとも１つのアクセスネットワーク及び複数の端末を有する通信システムのための１対多サービス方法。
【請求項２５】
前記伝送フォーマットは、周期を示すために利用されるフィールドを使用し、ここで、前記周期は、所定のインタレース・マルチプレックスペア上のパケットの連続的な伝送間のスロットの数を示すことを特徴とする請求項２４に記載の少なくとも１つのアクセスネットワーク及び複数の端末を有する通信システムのための１対多サービス方法。
【請求項２６】
前記フィールドの値は、前記伝送フォーマットの長さより大きいか、前記伝送フォーマットの長さと同一であることを特徴とする請求項２５に記載の少なくとも１つのアクセスネットワーク及び複数の端末を有する通信システムのための１対多サービス方法。
【請求項２７】
前記少なくとも２つの異なるセクターから伝送されるサブパケットの数は、異なるか、同一であることを特徴とする請求項１５に記載の少なくとも１つのアクセスネットワーク及び複数の端末を有する通信システムのための１対多サービス方法。
【請求項２８】
１つの特定パケットに関連した所定数のサブパケットを１つ以上のセルから受信し、必要な場合、同一のサブパケットを２つ以上のセルから受信し、各セルは、ある一定期間に１つ以上のサブパケットを伝送する送受信機と、
前記送受信機と連動して前記送受信機を経て２つ以上のセルから受信された前記同一のサブパケットのソフト結合を行うプロセッサと
から構成されることを特徴とする１対多サービスをサポートしてアクセスネットワークに通信する端末。
【請求項２９】
前記１つの特定パケットに関連した一定数のサブパケットは、同一のゾーンのセルが前記一定数のサブパケットを決定するように構成されたアクセスネットワークにより形成され、ここで、前記一定数のサブパケットは、各セルにより独立して決定されることを特徴とする請求項２８に記載の１対多サービスをサポートしてアクセスネットワークに通信する端末。
【請求項３０】
前記サブパケットを伝送するセルのうち、最も不良なチャネル条件を有する最悪のセルは、ある一定期間に複数のサブパケットを伝送することを特徴とする請求項２８に記載の１対多サービスをサポートしてアクセスネットワークに通信する端末。
【請求項３１】
前記最悪のセルでないセルは、前記最悪のセルがセル自身の複数のサブパケットを伝送するとき、ある一定期間に１つの特定パケットに関連していないデータを伝送できることを特徴とする請求項３０に記載の１対多サービスをサポートしてアクセスネットワークに通信する端末。
【請求項３２】
前記データは、ユニキャスト方式で受信され、ＦＴＰダウンロードに関連することを特徴とする請求項３１に記載の１対多サービスをサポートしてアクセスネットワークに通信する端末。
【請求項３３】
前記セルは、基地局に関連し、前記送受信機及びプロセッサはさらに連動し、
前記受信機は、ソフト結合に関連した初期数の基地局から１つのパケットに関連した１つ以上の初期サブパケットを受信し、ソフト結合に関連した追加数の基地局から前記１つのパケットに関連した１つ以上の追加サブパケットを受信し、
前記プロセッサは、ソフト結合を行った後、基地局から受信されたサブパケットを復号化し、
ここで、前記初期数の基地局と前記追加数の基地局は、それぞれのチャネル条件に基づいて柔軟に調節されることを特徴とする請求項２８に記載の１対多サービスをサポートしてアクセスネットワークに通信する端末。
【請求項３４】
前記送受信機及び前記プロセッサは、さらに連動することにより、ソフト結合に関連した各基地局からいくつのサブパケットが伝送されるかに関する情報を含むブロードキャストオーバーヘッドメッセージをサービング基地局から受信することを特徴とする請求項２８に記載の１対多サービスをサポートしてアクセスネットワークに通信する端末。
【請求項３５】
ソフト結合に関連した第１基地局から１つのパケットに関連した１つ以上の第１サブパケットを受信する段階と、
ソフト結合に関連した第２基地局から前記１つのパケットに関連した１つ以上の第２サブパケットを受信する段階と、
ソフト結合を行った後、基地局から受信されたサブパケットを復号化する段階とから構成され、
ここで、前記第１基地局及び第２基地局は、該当基地局のチャネル条件に基づいて変化することを特徴とするサービング基地局及び隣接基地局を含む複数の基地局との通信における端末の１対多サービス受信方法。
【請求項３６】
ソフト結合に関連した第ｎ基地局から前記１つのパケットに関連した１つ以上の第ｎサブパケットを受信する段階をさらに含み、ここで、前記第１、第２、及び第ｎ基地局は、該当基地局のチャネル条件に基づいて変化することを特徴とする請求項３５に記載のサービング基地局及び隣接基地局を含む複数の基地局との通信における端末の１対多サービス受信方法。
【請求項３７】
前記受信段階の以前に、ソフト結合に関連した各基地局からいくつのサブパケットが伝送されるかに関する情報を含むブロードキャストオーバーヘッドメッセージをサービング基地局から受信する段階をさらに含むことを特徴とする請求項３５に記載のサービング基地局及び隣接基地局を含む複数の基地局との通信における端末の１対多サービス受信方法。
【請求項３８】
前記サービング基地局が他の隣接基地局より少ない数のサブパケットを伝送すると、残りのスロットにより前記サービング基地局から伝送されるユニキャストデータを受信するために準備する段階をさらに含むことを特徴とする請求項３７に記載のサービング基地局及び隣接基地局を含む複数の基地局との通信における端末の１対多サービス受信方法。
【発明の詳細な説明】
【技術分野】
【０００１】
本発明は、データ送受信に関する。特に、同一の論理チャネルに該当するデータが異なるチャネル環境を有する各基地局からブロードキャストされるとき、データ伝送効率を向上させる方法に関する。
【背景技術】
【０００２】
ブロードキャスト／マルチキャストサービスをサポートする移動通信システムにおいて、画像を含むマルチメディアデータが音声データに加えられて伝送される必要があるので、高いデータレートが要求される。従って、ブロードキャスト／マルチキャストサービスを提供するために、物理層のパケットデータチャネルは、高いデータレートをサポートしなければならない。
【０００３】
フェージングが存在する無線環境において、パケットデータチャネルでマルチメディアデータを安定した方法で伝送するために、ＨＡＲＱ（Ｈｙｂｒｉｄ  Ａｕｔｏｍａｔｉｃ  Ｒｅｐｅａｔ  Ｒｅｑｕｅｓｔ）方式が使用される。ＨＡＲＱは、ＦＥＣ（Ｆｏｒｗａｒｄ  Ｅｒｒｏｒ  Ｃｏｒｒｅｃｔｉｏｎ）及びＡＲＱ（Ａｕｔｏｍａｔｉｃ  Ｒｅｐｅａｔ  Ｒｅｑｕｅｓｔ）の技術を結合する。
【０００４】
前記ＨＡＲＱ方式については、詳細に後述される。まず、データが伝送されるためには、エラー訂正機能を有するチャネルコーダ（例えば、ターボエンコーダ）を利用して符号化が行われ、１つのパケットに関連した１つ以上のサブパケットが伝送される。
【０００５】
第１サブパケットが送信端から伝送されると、前記第１サブパケットを受信した受信端で復号化が行われる。復号化が正常に行われると、ＡＣＫ（ａｃｋｎｏｗｌｅｄｇｅｍｅｎｔ）信号が前記送信端に伝送される。それに対して、受信された前記第１サブパケットの復号化が正常に行われないと、ＮＡＣＫ（ｎｅｇａｔｉｖｅ  ａｃｋｎｏｗｌｅｄｇｅｍｅｎｔ）信号が前記送信端にフィードバックされる。
【０００６】
前記送信端において、ＡＣＫ信号が受信されると、次のパケットに関連した第１サブパケットが伝送される。ＮＡＣＫ信号が受信されると、予め伝送された前記パケットに関連した第２サブパケットが伝送される。前記受信端においては、前記第１サブパケットがバッファ内に保存され、前記第２サブパケットが伝送されると、前記第１サブパケット及び第２サブパケットが結合して復号化が行われるので、復号化の成功率が増加する。
【０００７】
図１は、パケットインタレース構造にＨＡＲＱを実現する方法の例を示す。図１を参照すると、パケットデータを伝送するために利用されるチャネルは、各インタレースが一定の時間間隔で規則的に繰り返される構造を利用して実現される。図１に示すように、前記例示的なパケットデータチャネルは、４つのインタレースを含むので、１つのパケットが前記４つのインタレースのうち１つを使用することにより伝送される。伝送されるインタレースが決定されると、該当するパケットは、前記決定されたインタレースにより伝送される。これについては、詳細に後述される。
【０００８】
図１において、第０パケットの場合、第１サブパケットはＰ００であり、第２サブパケットはＰ０１であり、第３パケットはＰ０２であり、第４パケットはＰ０３である。第１パケットの場合、第１サブパケットはＰ１０である。
【０００９】
図１に示すように、前記第０パケットは、第０インタレースを利用して伝送されると仮定する。前記送信端から、前記第０パケットに関する第１サブパケットは前記第０インタレースにより受信端に伝送される。前記受信端の前記第１サブパケットを受信して復号化した後、復号化が正常でない場合はＮＡＣＫ信号が前記送信端にフィードバックされる。前記送信端においては、前記ＮＡＣＫ信号を受信すると、前記第０パケットに関連した第２サブパケットを前記受信端に伝送するために前記第０インタレースが利用される。前記第２サブパケットを受信すると、前記受信端が前記第２サブパケットとバッファに保存された前記第１サブパケットを結合し、復号化が行われる。それにも拘わらず、復号化が依然として正常でない場合はＮＡＣＫ信号が前記送信端にフィードバックされる。
【００１０】
前記送信端においては、前記ＮＡＣＫ信号が受信されると、前記第０パケットに関連した第３サブパケットを前記受信端に伝送するために前記第０インタレースが再び利用される。この手順は、ＡＣＫ信号が受信されるまで、又は回数の閾値に達するまで、繰り返し行われる。前述したように、１つのパケットに関連した各サブパケットは、同一のインタレースを利用して伝送される。
【００１１】
パケットデータチャネルでブロードキャスト／マルチキャストデータを伝送するとき、前記ＡＣＫ／ＮＡＣＫフィードバックは存在しない。これは、ブロードキャスト／マルチキャストサービスの特徴である１対多通信の特徴のためである。従って、ブロードキャスト／マルチキャストデータが伝送されるとき、各移動局の個別のＡＣＫ／ＮＡＣＫ信号が受信できないため、伝送フォーマットは、特定セル内に存在するいずれの移動局も所定閾値以上の受信品質を有するように決定されなければならない。このような伝送フォーマットは、データレート、ペイロードサイズ、伝送されたサブパケットの数、及び使用される変調方法などを含む。この伝送フォーマットが決定されると、各基地局は、前記決定された伝送フォーマットによってブロードキャスト／マルチキャストサービスを行う。
【００１２】
図２は、ペイロードサイズ及び変調方法が固定されている間にサブパケットの数が変化するときに提供できるデータレートのタイプの例を示す。ここで、前記ペイロードサイズは、２０４８ビットであり、サブパケット伝送時間間隔は、１／６００秒であると仮定する。図２に示すように、フェージング環境、干渉環境、及びセル半径などを考慮すると、全般的に良好なチャネル環境（条件）を有する基地局の場合は、第０インタレースが１つのパケットを伝送するために１回利用されるので、ブロードキャスト／マルチキャストパケットは高いデータレート（例えば、１．２２８８Ｍｂｐｓ）で伝送される。しかし、全般的なチャネル環境（条件）が良好でない場合は、前記第０インタレースが１つのパケットを伝送するために４回利用されるので、ブロードキャスト／マルチキャストパケットは低いデータレート（例えば、３０７．２ｋｂｐｓ）で伝送される。
【００１３】
ブロードキャスト／マルチキャストデータは、インタレース構造を有するパケットデータチャネルで伝送され、各インタレースは、少なくとも１つのマルチプレックスを有する。好ましくは、１つのインタレースは、４、８、又は１６のマルチプレックスを含む。従って、インタレース・マルチプレックスペアは、どのインタレースのどのマルチプレックスがパケットを伝送するために利用されるかを示すために利用される。
【００１４】
各インタレース・マルチプレックスペアには関連したバースト長が存在する。前記バースト長は、伝送データレートによる１パケット当たりのサブパケットの数に１バースト毎に伝送されるパケットの数を乗算することにより決定される。インタレース・マルチプレックスペアは、バースト長と等しい同一のインタレースの特定間隔を連続して占有する。従って、ブロードキャスト／マルチキャストデータが伝送されるパケットデータチャネルは、インタレース・マルチプレックスペアにより定義されるサブチャネルで構成される。前記基地局は、少なくとも１つのブロードキャスト／マルチキャストサービス（ｂｒｏａｄｃａｓｔ／ｍｕｌｔｉｃａｓｔ  ｓｅｒｖｉｃｅｓ：ＢＣＭＣＳ）フローを含む１つの論理チャネルを少なくとも１つのインタレース・マルチプレックスペアにマッピングする。
【００１５】
表１は、インタレース・マルチプレックスペア、バースト長、及び１パケット当たりのサブパケットに関する情報を含むオーバーヘッドシグナリングメッセージの例を示す。
【００１６】
【表１】
2008529401.tif 000003
表１において、前記Ｉｎｔｅｒｌａｃｅ０Ｉｎｃｌｕｄｅｄ、Ｉｎｔｅｒｌａｃｅ１Ｉｎｃｌｕｄｅｄ、Ｉｎｔｅｒｌａｃｅ２Ｉｎｃｌｕｄｅｄ、及びＩｎｔｅｒｌａｃｅ３Ｉｎｃｌｕｄｅｄフィールドは、どのインタレースが前記ＢＣＭＣサービスのために利用されるかを示す。例えば、第０インタレースが前記ＢＣＭＣＳのために利用される場合、前記第０インタレースに該当するＩｎｔｅｒｌａｃｅ０Ｉｎｃｌｕｄｅｄフィールドは、「１」に設定されるが、利用されない場合は、「０」に設定される。
【００１７】
前記ＭｕｌｔｉｐｌｅｘｅｓＰｅｒＩｎｔｅｒｌａｃｅフィールドは、１つのインタレースを構成するマルチプレックスの数を示す。
【００１８】
また、前記ＢｕｒｓｔＬｅｎｇｔｈ０、ＢｕｒｓｔＬｅｎｇｔｈ１、ＢｕｒｓｔＬｅｎｇｔｈ２、及びＢｕｒｓｔＬｅｎｇｔｈ３フィールドは、各インタレース・マルチプレックスペアに該当するバースト長をそれぞれ示す。
【００１９】
さらに、前記ＰｈｙｓｉｃａＬＣｈａｎｎｅｌＣｏｕｎｔフィールドは、物理サブチャネルの数を示し、ここで、サブチャネルは、１つのＢＣＭＣＳ論理チャネルを伝送するために利用されるインタレース・マルチプレックスペアを示す。
【００２０】
前記ＤａｔａＲａｔｅフィールドは、該当物理チャネルのデータレートを示す。ここで、このデータレート値によって、前記該当物理チャネルで伝送されるパケットのサイズと１つのパケットを伝送するために必要なスロットの数が決定される。
【００２１】
表２は、表１のＤａｔａＲａｔｅフィールド値によるデータレートの例と前記該当物理チャネルで伝送されるパケットを伝送するために必要なスロットの数を示す。
【００２２】
【表２】
2008529401.tif 000004
表１において、前記インタレースフィールド及び前記マルチプレックスフィールドは、前記該当物理チャネルがどのインタレース・マルチプレックスペアにより伝送されるかを通知するために利用される。ここで、１つのインタレース・マルチプレックスペアに対応するパケットの数は、前記バースト長を１つのパケットに対応するスロットの数で除算することにより算出できる。
【００２３】
図３は、インタレース・マルチプレックスペア構造を利用してブロードキャスト／マルチキャストデータを伝送する方法の例を示す。インタレース・マルチプレックスペアが（インタレース数、マルチプレックス数）で示されると、ブロードキャスト／マルチキャストデータは、図３に示すように、パケットデータチャネルで伝送される。ここで、図３は、１インタレース当たり４つのマルチプレックスが存在する例を示し、各マルチプレックスバースト長は１である。
【００２４】
図４は、ブロードキャスト／マルチキャストサービスのためのゾーン構造の例を示す。ブロードキャスト／マルチキャストサービスは、ゾーンベースの方法（ゾーンＡからゾーンＧ）で提供される。ゾーンベースサービスにおいて、少なくとも１つの基地局グループが占める地域を１つのゾーン単位と定義し、各ゾーン単位において、ＢＣＭＣＳフローが独立してサービスとして提供される。従って、同一ゾーンの一部である基地局は、同一のＢＣＭＣＳフローを有する同一の論理チャネルをマッピングして同一のインタレース・マルチプレックスペアに伝送する。
【００２５】
各ゾーンは、セル又はセクターと呼ばれるより小さい地域又は領域から構成することができることに注目する。ここで、セルは、区域特徴に基づいて定義された地域であり、セクターは、信号特徴に基づいて定義された地域である。また、基地局は、少なくとも１つのセル又は少なくとも１つのセクターを管理できる。このように、サービスは、１セル毎に、１セクター毎に、１基地局毎に提供できる。以下の説明は、単純化のために、セルを有するゾーンを一般的に示す。
【００２６】
前述したように、ゾーンベースのブロードキャスト／マルチキャストサービスが行われるとき、各ゾーン内の全ての基地局は、同一のインタレース・マルチプレックスペアにより同一のデータを伝送する。従って、特定ゾーン内に位置する移動局は、同一のゾーン内の少なくとも１つの基地局から伝送された同一のパケットを受信し、これらを結合及び復号化することにより、ダイバーシティ利得が取得できる。
【００２７】
図５は、１つのゾーン内でそれぞれ異なるチャネルを有するセルを説明する例を示す。セルＡのように、ゾーンの中央地域に位置するセル内の移動局の場合、隣接した基地局から伝送される同一のパケットが受信され、ダイバーシティ利得が取得できる。しかし、セルＢ又はセルＤのように、ゾーンの外周に位置するセル内の移動局の場合、他のゾーンの一部であるセルから伝送された他のパケットが干渉を引き起こすので、チャネル状態（条件）が良好でない。一方、セルＣのように、ゾーンの中央地域に位置していても、セル自体の環境的特徴、区域、建物などのため、セル状態（条件）が悪いこともある。
【００２８】
よって、良好なチャネル条件（例えば、セルＡのように）を有するセルにおいて、パケットは１．２２８８Ｍｂｐｓのような高いデータレートで伝送できる。しかし、良好でないチャネル条件（例えば、セルＢ、セルＣ、又はセルＤのように）を有する場合、不良なチャネル条件を克服するために余計な情報が追加され、このような数回の伝送が必要であるため、パケットは、６１４．４ｋｂｐｓで又はより低いデータレートでしか伝送できない。
【００２９】
図６は、従来のブロードキャスト／マルチキャストデータ伝送方法の例を示す。図６を参照すると、１つのインタレースは４つのマルチプレックスを含み、前記ＢＣＭＣＳ論理チャネルは、４つのインタレース・マルチプレックスペア（０，０）、（０，１）、（０，２）、（０，３）にマッピングされる。すなわち、第０インタレース全体を利用したデータ伝送方法を示す。ここで、バースト長は１である。第１実施形態において、バースト長が１であるため、１パケット当たり１つのサブパケットのみが伝送される。従って、パケットが高いデータレートで伝送できるにもかかわらず、不良なチャネル条件を有するセル内に位置する移動局に対するサービス品質の低下は、発生する問題の一類型である。
【００３０】
図７は、従来のブロードキャスト／マルチキャストデータ伝送方法の他の例を示す。図７を参照すると、１つのインタレースは４つのマルチプレックスを含み、ＢＣＭＣＳ論理チャネルは、４つのインタレース・マルチプレックスペア（０，０）、（０，１）、（０，２）、（０，３）にマッピングされる。すなわち、第０インタレース全体を利用するデータ伝送方法を示す。ここで、データ長は３である。この場合、前記データ長が３であるため、１パケット当たり３つのサブパケットが伝送される。従って、ゾーンベース構造において、不良なチャネル条件を有するセル内に位置する移動局に対するサービス品質は、より安定した方式で保障できるが、低いデータレートは、発生する問題の他の類型である。
【００３１】
前述したように、ゾーンベースのブロードキャスト／マルチキャストサービスを提供するとき、各セルにおいてチャネル条件が異なる。しかし、伝送フォーマットが特定セルに基づいて決定される場合、各セルに対して無線リソースの浪費が発生し、これは、効率低下とサービス品質の低下を招く。
【発明の開示】
【発明が解決しようとする課題】
【００３２】
本発明の一様態は、前述したような従来の問題に対する本発明者らの認識を含む。このような認識に基づいて、本発明は、可変レート伝送方法の改善を達成できる。
【課題を解決するための手段】
【００３３】
より詳しくは、本発明は、少なくとも１つのアクセスネットワークと複数の端末を有する通信システムのための１対多サービス方法を提供し、前記方法は、同一の論理チャネルを伝送する同一のゾーン内のセクターがデータパケット伝送のために異なる伝送データレートを用いるようにアクセスネットワークを構成する段階と、前記異なる伝送データレートを用いてそれぞれの端末に１対多サービスを提供する段階とから構成される。
【００３４】
本発明は、パケットデータ伝送方法に関し、より詳しくは、基地局でチャネル条件に基づいてパケットを効果的にブロードキャスティングする方法に関する。
【００３５】
本発明のさらなる長所、目的及び特性は後述する発明の詳細な説明に一部が記述されており、一部は前記説明により明確になるか、又は、本発明の実施により理解されるであろう。本発明の目的と長所は、特に、請求の範囲に開示された構成により実現及び達成される。
【発明の効果】
【００３６】
本発明の好ましい結果及び効果として、同一の論理チャネルに該当するデータがそれぞれ異なるチャネル条件（環境）を有する各基地局から伝送（例えば、ブロードキャスト）されるとき、データ伝送効率が向上する。
【発明を実施するための最良の形態】
【００３７】
本発明は、１ｘＥＶ−ＤＯ移動通信システムのような３ＧＰＰ２タイプ移動通信システムにおいて実現されると説明される。しかし、本発明の概念と内容は、共通した技術に基づいて類似した方法で動作する多様な通信方式に適用できるため、本発明は、他のタイプの通信標準（例えば、３ＧＰＰ２、４Ｇ、ＩＥＥＥ、ＯＭＡなど）に準拠して動作する通信システムにおいて採択して実現することもできる。
【００３８】
また、本発明は、ブロードキャスト／マルチキャストサービス（ＢＣＭＣＳ）のコンテキストで説明されるが、本発明の特徴は、マルチメディアブロードキャスト／マルチキャストサービス（ｍｕｌｔｉｍｅｄｉａ  ｂｒｏａｄｃａｓｔ／ｍｕｌｔｉｃａｓｔ  ｓｅｒｖｉｃｅ：ＭＢＭＳ）、メディアブロードキャスティング、コンテンツ伝達などのユーザにマルチメディアデータを提供する１対多サービスの多様なタイプに適用できる。
【００３９】
本発明の実施形態が添付図面を参照して後述されるが、これらに限定されるものではない。
【００４０】
本発明は、データ送信及び受信方法を提供し、同一ゾーン内にある基地局のチャネル条件（状態）がそれぞれ異なる場合、この条件は、パケットデータを効果的に伝送（例えば、ブロードキャスト）すると考えられる。
【００４１】
図８は、本発明の第１実施形態によるパケットデータチャネルでのブロードキャスト／マルチキャストデータ伝送方法の例を示す。図８に示す第１実施形態において、１つのインタレースは、４つのマルチプレックスを含み、ＢＣＭＣＳ論理チャネルは、４つのインタレース・マルチプレックスペア（０，０）、（０，１）、（０，２）、（０，３）にマッピングされる。すなわち、第０インタレース全体を利用するデータ伝送方法を示す。ここで、バースト長は３である。
【００４２】
本実施形態において、バースト長が３に決定されているにもかかわらず、各基地局のチャネル条件によって、１つのパケットに関連したサブパケットの数はそれぞれ独立して決定される。
【００４３】
すなわち、基地局Ａにおけるチャネル条件が非常に良好であると仮定すると、基地局Ａは、１つのパケットに関連した１つのサブパケットのみを伝送するように設定されるので、パケットが高いデータレートで伝送される。
【００４４】
また、基地局Ｂ又は基地局Ｃにおけるチャネル条件が比較的良好であると仮定すると、基地局Ｂ又は基地局Ｃは、１つのパケットに関連した２つのサブパケットを伝送するように設定されるので、パケットが相対的に高いデータレートで伝送される。
【００４５】
しかし、基地局Ｄにおけるチャネル条件が悪いと仮定すると、基地局Ｄは、１つのパケットに関連した３つのサブパケットを伝送するように設定されるので、パケットが低いデータレートで伝送される。
【００４６】
前述したように、良好なチャネル条件を有する基地局においては、パケットが高いデータレートで伝送されるので、伝送効率が向上するが、不良なチャネル条件を有する基地局においては、パケットが低いデータレートで伝送されるので、受信品質を保障する。
【００４７】
一方、基地局Ａのようにチャネル条件が良好である場合、第２及び第３サブパケットが伝送されるときの時間間隔で異なるタイプのデータが伝送されるので、伝送効率が向上する。ここで、他のタイプのデータが伝送されるとき、基地局Ａの送信電力は、他の基地局からのインタレースにより伝送されるデータとの干渉を考慮することにより制御できる。すなわち、ＢＣＭＣＳデータを伝送するスロットと他のデータを伝送するスロットには、異なる送信電力が設定される。ＢＣＭＣＳデータを伝送するスロットの送信電力と他のデータを伝送するスロットの送信電力との差又は比率は、シグナリングにより移動局に伝送できる。
【００４８】
表３は、第１実施形態のＢＣＭＣ論理チャネル伝送方法をサポートするオーバーヘッドシグナリングメッセージの例を示す。
【００４９】
【表３】
2008529401.tif 000005
表３において、前記Ｉｎｔｅｒｌａｃｅ０Ｉｎｃｌｕｄｅｄ、Ｉｎｔｅｒｌａｃｅ１Ｉｎｃｌｕｄｅｄ、Ｉｎｔｅｒｌａｃｅ２Ｉｎｃｌｕｄｅｄ、及びＩｎｔｅｒｌａｃｅ３Ｉｎｃｌｕｄｅｄフィールドは、各インタレースが前記ＢＣＭＣサービスのために利用されるか否かを示す。例えば、第０インタレースが前記ＢＣＭＣＳのために利用される場合、前記Ｉｎｔｅｒｌａｃｅ０Ｉｎｃｌｕｄｅｄフィールドは「１」に設定され、利用されない場合は、「０」に設定される。
【００５０】
前記ＭｕｌｔｉｐｌｅｘｅｓＰｅｒＩｎｔｅｒｌａｃｅフィールドは、１つのインタレースを構成するマルチプレックスの数を示し、ＢｕｒｓｔＬｅｎｇｔｈ０、ＢｕｒｓｔＬｅｎｇｔｈ１、ＢｕｒｓｔＬｅｎｇｔｈ２、及びＢｕｒｓｔＬｅｎｇｔｈ３フィールドは、各インタレース・マルチプレックスペアに該当するバースト長をそれぞれ示す。
【００５１】
さらに、前記ＰｈｙｓｉｃａｌＣｈａｎｎｅｌＣｏｕｎｔフィールドは、１つのＢＣＭＣＳ論理チャネルを伝送するために使用されるインタレース・マルチプレックスペアにより定義される各物理サブチャネルの数を示し、前記ＤａｔａＲａｔｅフィールドは、該当物理チャネルのデータレートを示す。ここで、このデータレート値により、前記該当物理チャネルで伝送されるパケットのサイズ及び１つのパケットを伝送するために必要なスロットの数が決定される。
【００５２】
Ｉｎｔｅｒｌａｃｅフィールド及びＭｕｌｔｉｐｌｅｘフィールドは、前記該当物理チャネルがどのインタレース・マルチプレックスペアにより伝送されるかを示す。
【００５３】
図８に示す第１実施形態において、基地局Ａを一例として考慮すると、１つの物理パケットは、１つのスロットにより伝送され、該当インタレース・マルチプレックスペアは、バースト長３を有する。基地局Ａの場合、ａ及びｂのように、ＢＣＭＣＳの非伝送中に間隔があるので、１つのインタレース・マルチプレックスペア内に入るブロードキャスト物理パケットの数は、前記バースト長を１つのパケットに該当するスロットの数で除算すことにより得る（算出する）ことができない。
【００５４】
従って、前記該当インタレース・マルチプレックスペアに入る物理パケットの数を得るために使用される情報を伝送する必要がある。従って、表３に示すように、このような情報は、ブロードキャストオーバーヘッドメッセージに含まれるＰｅｒｉｏｄフィールドにより伝送される。
【００５５】
前記Ｐｅｒｉｏｄフィールド値が、前記該当物理パケットの第１サブパケットが伝送されるときの周期（間隔）として定義される場合、該当インタレース・マルチプレックスペアに入る物理パケットの数は、該当バースト長を前記Ｐｅｒｉｏｄフィールド値で除算することにより得る（算出する）ことができる。
【００５６】
第１実施形態において、基地局Ａは、１．２２８８Ｍｂｐｓのデータレートを有し、ブロードキャスト物理パケットは、１番目のスロットにより伝送される。それに対して、基地局Ｂは、６１４．４ｋｂｐｓのデータレートを有し、ブロードキャスト物理パケットは、２番目のスロットにより伝送され、基地局Ｄは、４０９．６ｋｂｐｓのデータレートを有し、ブロードキャスト物理パケットは、３番目のスロットにより伝送される。図８の全ての基地局は、前記Ｐｅｒｉｏｄフィールド値が３である。
【００５７】
表４は、第１実施形態のＢＣＭＣ論理チャネル伝送方法をサポートするためのオーバーヘッドシグナリングメッセージの例を示す。
【００５８】
【表４】
2008529401.tif 000006
表４において、前記Ｉｎｔｅｒｌａｃｅ０Ｉｎｃｌｕｄｅｄ、Ｉｎｔｅｒｌａｃｅ１Ｉｎｃｌｕｄｅｄ、Ｉｎｔｅｒｌａｃｅ２Ｉｎｃｌｕｄｅｄ、及びＩｎｔｅｒｌａｃｅ３Ｉｎｃｌｕｄｅｄフィールドは、各インタレースが前記ＢＣＭＣサービスのために利用されるか否かを示す。例えば、第０インタレースが前記ＢＣＭＣＳのために利用される場合、前記Ｉｎｔｅｒｌａｃｅ０Ｉｎｃｌｕｄｅｄフィールドは「１」に設定され、利用されない場合、「０」に設定される。
【００５９】
前記ＭｕｌｔｉｐｌｅｘｅｓＰｅｒＩｎｔｅｒｌａｃｅフィールドは、１つのインタレースを構成するマルチプレックスの数を示し、前記ＢｕｒｓｔＬｅｎｇｔｈ０、ＢｕｒｓｔＬｅｎｇｔｈ１、ＢｕｒｓｔＬｅｎｇｔｈ２、及びＢｕｒｓｔＬｅｎｇｔｈ３フィールドは、各インタレース・マルチプレックスペアに該当するバースト長をそれぞれ示す。
【００６０】
前記ＰｈｙｓｉｃａｌＣｈａｎｎｅｌＣｏｕｎｔフィールドは、物理サブチャネルの数を示し、それぞれは、１つのＢＣＭＣＳ論理チャネルを伝送するために利用されるインタレース・マルチプレックスペアにより定義され、前記ＰａｙｌｏａｄＳｉｚｅフィールドは、該当物理チャネルのペイロードのサイズを示す。
【００６１】
表５は、ＰａｙｌｏａｄＳｉｚｅフィールド値に該当する実際のペイロードサイズの例を示す。
【００６２】
【表５】
2008529401.tif 000007
表４を参照すると、該当物理パケットの第１サブパケットが伝送されるとき、前記Ｐｅｒｉｏｄフィールド値は周期（間隔）として定義される。前記ＭａｉｎＳｌｏｔＬｅｎｇｔｈフィールドは、単一周期（間隔）内に入るメインサブパケットのスロット長を示し、前記ＡｓｓｉｓｔａｎｔＳｌｏｔＬｅｎｇｔｈフィールドは、単一周期（間隔）内に入る残りの補助サブパケットのスロット長を示す。
【００６３】
図８の実施形態において、基地局Ａ、Ｂ、Ｃ、及びＤは、「００」、すなわち、２０４８のＰａｙｌｏａｄＳｉｚｅフィールド値を有し、Ｐｅｒｉｏｄフィールド値は３である。例えば、基地局Ｂ及び基地局Ｄが基地局Ａに隣接する場合、基地局Ａは、ＭａｉｎＳｌｏｔＬｅｎｇｔｈ＝１及びＡｓｓｉｓｔａｎｔＳｌｏｔＬｅｎｇｔｈ＝０を有し、基地局Ｂは、ＭａｉｎＳｌｏｔＬｅｎｇｔｈ＝１及びＡｓｓｉｓｔａｎｔＳｌｏｔＬｅｎｇｔｈ＝１を有し、基地局Ｄは、ＭａｉｎＳｌｏｔＬｅｎｇｔｈ＝１及びＡｓｓｉｓｔａｎｔＳｌｏｔＬｅｎｇｔｈ＝２を有する。基地局Ｄが十分遠いため、基地局Ａの影響を受けることなく、基地局Ｂの影響のみを受ける場合、基地局Ｄは、ＭａｉｎＳｌｏｔＬｅｎｇｔｈ＝２及びＡｓｓｉｓｔａｎｔＳｌｏｔＬｅｎｇｔｈ＝１を有する。
【００６４】
図９は、本発明の第２実施形態によるパケットデータチャネルでのブロードキャスト／マルチキャストデータの伝送方法の例を示す。図９の第２実施形態において、１つのインタレースは、４つのマルチプレックスを含み、ＢＣＭＣＳ論理チャネルは、４つのインタレース・マルチプレックスペア（０，０）、（０，１）、（０，２）、（０，３）にマッピングされる。すなわち、第０インタレース全体を利用するデータ伝送方法を示す。ここで、バースト長は１である。
【００６５】
本実施形態において、良好なチャネル条件及び不良なチャネル条件を有する基地局が単一ゾーン内に共存するとき、データ伝送は、良好なチャネル条件を有する基地局に基づいて行われる。図９に示すように、１つのパケットに関連した１つのサブパケットのみが、第０インタレースにより、非常に良好なチャネル条件を有する基地局Ａだけでなく、比較的良好なチャネル条件を有する基地局Ｂ及び基地局Ｃ、並びに不良なチャネル条件を有する基地局Ｄにも伝送される。
【００６６】
一方、比較的良好なチャネル条件を有する基地局Ｂ及び基地局Ｃの場合、第０インタレースではない１つ以上のインタレースが前記１つのパケットに関連した１つ以上の異なるサブパケットを伝送するために利用される。すなわち、第１サブパケットは、インタレース・マルチプレックスペア（０，０）、（０，１）、（０，２）、（０，３）により伝送され、第２サブパケットは、インタレース・マルチプレックスペア（１，０）、（１，１）、（１，２）、（１，３）により伝送される。これにより、前記インタレース・マルチプレックスペア（０，０）、（０，１）、（０，２）、（０，３）はメインチャネルを構成し、前記インタレース・マルチプレックスペア（１，０）、（１，１）、（１，２）、（１，３）は補助チャネルを構成する。
【００６７】
同様に、不良なチャネル条件を有する基地局Ｄの場合、第０インタレースではない１つ以上のインタレースが前記１つのパケットに関連した１つ以上の異なるサブパケットを伝送するために利用される。ここで、基地局Ｄのためのチャネル条件が基地局Ｂ又は基地局Ｃのためのチャネル条件より不良であるため、前記１つのパケットに関連したより多くのサブパケットが伝送される必要がある。すなわち、第１サブパケットがインタレース・マルチプレックスペア（０，０）、（０，１）、（０，２）、（０，３）により伝送され、第２サブパケットがインタレース・マルチプレックスペア（１，０）、（１，１）、（１，２）、（１，３）により伝送され、第３サブパケットは、インタレース・マルチプレックスペア（２，０）、（２，１）、（２，２）、（２，３）により伝送される。従って、前記インタレース・マルチプレックスペア（０，０）、（０，１）、（０，２）、（０，３）はメインチャネルを構成し、前記インタレース・マルチプレックスペア（１，０）、（１，１）、（１，２）、（１，３）は第１補助チャネルを構成し、前記インタレース・マルチプレックスペア（２，０）、（２，１）、（２，２）、（２，３）は第２補助チャネルを構成する。
【００６８】
前述したように、同一のゾーン内で、同一のＢＣＭＣＳ論理チャネルデータが初期に同一のインタレース・マルチプレックスペア（メインチャネル）により全ての基地局から伝送され、各基地局におけるチャネル条件により、さらなるインタレース・マルチプレックスペア（補助チャネル）がデータ伝送のために利用される。ここで、補助チャネルで伝送されたサブパケットインデックスは、メインチャネル又は以前の補助チャネルで伝送されたサブパケットの次のサブパケットにより設定されるか、ＢＣＭＣＳ設定手順中の基地局からのシグナリングにより受信される。
【００６９】
一方、前記メインチャネル及び補助チャネルに関しては、同一のパケットに対するサブパケット間の伝送開始時点がスロットオフセット値Ｋと異なり、Ｋに関する情報は、シグナリングにより基地局から伝送できる。
【００７０】
図９を参照すると、前記メインチャネル及び補助チャネルは、それぞれ１．２２８８Ｍｂｐｓのデータレートで各サブパケットを伝送する。基地局Ｂ又はＣの場合、第１サブパケットはメインチャネルで伝送され、第２サブパケットは第１補助チャネルで伝送される。図９に示すように、スロットオフセットは５であり、それぞれ異なるパケットに関連した各サブパケットＰ００、Ｐ１０、Ｐ２０が伝送された後、さらなるサブパケットＰ０１、Ｐ１１、Ｐ２１がそれぞれ以前のサブパケット伝送時点以後の５つのスロットにより伝送される。
【００７１】
本実施形態において、前記基地局Ｂ及びＣは、メインチャネルだけでなく補助チャネルも伝送するため、ブロードキャスト全体の効果的なデータレートは６１４．４ｋｂｐｓになると考慮される。基地局Ｄの場合、この例は、メインチャネルで第１サブパケットが伝送され、第１補助チャネルで第２サブパケットが伝送され、第２補助チャネルで第３サブパケットが伝送されることを示す。ここで、前記第１補助チャネルはスロットオフセット５を利用し、前記第２補助チャネルはスロットオフセット６を利用し、２つの補助チャネルを伝送することにより、ブロードキャストチャネル全体の効果的なデータレートは４０９．６ｋｂｐｓになると考慮される。
【００７２】
図８に基づいた第３実施形態として、基地局Ａ、Ｂ、及びＣは、基地局Ｄに隣接し、移動局は、現在の基地局の境界地域に位置する。Ｐ００が伝送されるスロット間隔で、ＢＣＭＣサービスを行う全ての基地局が同一のＢＣＭＣＳ論理チャネルを伝送するため、前記移動局は、各基地局から伝送されたサブパケットを結合し、それらの復号化を行うことができる。しかし、Ｐ０２が伝送される間隔で、基地局Ｄから伝送されるサブパケットのみが復号化されなければならない。
【００７３】
図９に基づいた第４実施形態として、基地局Ｄのゾーン内に位置する移動局は、全ての基地局から各パケットに関する第１サブパケットを受信し、これらを結合して復号化することができる。しかし、第２サブパケットの場合は、基地局Ｂ、Ｃ及びＤから伝送されたサブパケットのみを結合して復号化を行い、第３サブパケットの場合は、基地局Ｄから伝送されたサブパケットのみを復号化に利用する。
【００７４】
従って、１つのＢＣＭＣＳ論理チャネル伝送に割り当てられたスロットのうち、どのスロットが隣接基地局によりサブパケットを伝送するために利用されるかに関する情報を前記移動局に伝送する必要がある。そのために、前記ＢＣＭＣＳ論理チャネルを伝送するとき、前記移動局がサブパケットを受信し、ソフト結合（ｓｏｆｔ−ｃｏｍｂｉｎｉｎｇ）を行う全ての基地局に対して、どの基地局がどのスロットによりサブパケットを伝送するかに関する情報がシグナリングにより伝送される。
【００７５】
図９において、基地局Ａがスロット「ｄ」又は「ｅ」により基地局Ｂ及びＣのデータ並びに他のデータを伝送するとき、これらのスロットにより他の基地局から伝送されるデータとの干渉を考慮し、基地局Ａの送信電力を制御できる。すなわち、同一のＢＣＭＣＳデータが伝送されるスロットの送信電力と他のデータが伝送されるスロットの送信電力が異なる。ＢＣＭＣＳデータを伝送するスロットの送信電力と他のデータを伝送するスロットの送信電力との差又は比率は、シグナリングにより前記移動局に伝送できる。
【００７６】
図１０は、移動局でブロードキャスト／マルチキャストデータを受信する方法の例を示すフローチャートである。前記移動局は、基地局から前記基地局がデータ伝送のためにメインチャネルのみを利用するか、補助チャネルも利用するかに関する情報を受信する（Ｓ８１）。このような基地局情報が確認され（Ｓ８２）、前記基地局がデータ伝送のためにメインチャネルのみを利用する場合、補助チャネルで伝送されるサブパケットを待機せずに、受信したパケットを復号化する（Ｓ８３）。補助チャネルとともにメインチャネルでサブパケットを伝送する基地局の場合、受信したパケットを直ちに復号化するか、スロットオフセットＫと同一の時間周期を待機して補助チャネルで伝送されるサブパケットを結合した後、復号化を行うかを決定する（Ｓ８４）。
【００７７】
補助チャネルとともにメインチャネルを利用する基地局は、一般的に不良なチャネル条件を有する基地局である。従って、受信したパケットを直ちに復号化すると、失敗の可能性が高いので、復号化のためのリソースの浪費がある。しかし、受信したパケットを直ちに復号化して複合化が正常に行なわれると、補助チャネルで伝送されるサブパケットを待機し、受信したサブパケットを結合して復号化を行う手順が省略できるので、より効率的である。従って、前記移動局が、前記基地局が補助チャネルを利用してデータを伝送するゾーン内にあるにもかかわらず、補助チャネルで伝送されるサブパケットを待機せずに、前記受信したパケットを直ちに復号化するか否かを決定する。前記受信したパケットを直ちに復号化すると決定された場合、復号化を行い（Ｓ８５）、復号化が正常に行なわれたか否かを確認する（Ｓ８６）。さらに、前記受信したパケットとの結合が行なわれ、それらの復号化が行われる（Ｓ８９）。それに対して、前記受信したパケットを直ちに復号化しないと決定された場合、前記受信したパケットは保存され（Ｓ８７）、サブパケットが補助チャネルで受信される（Ｓ８８）。次に、前記受信したパケットとの結合が行なわれ、復号化が行なわれる（Ｓ８９）。
【００７８】
前述された多様な特徴を実行するために、本発明は、様々なタイプのハードウェア及び／又はソフトウェア構成要素（モジュール）を採択できる。例えば、異なるハードウェアモジュールは、前記方法の段階を行うために必要な多様な回路と構成要素を含む。また、異なるソフトウェアモジュール（プロセッサ及び／又は他のハードウェアにより行われる）は、本発明の方法の段階を行うために必要な多様なコードとプロトコルを含む。
【００７９】
図１１は、本発明の特徴をサポートする移動局の構造の例を示す。移動局１１００は、信号及びデータを送受信する送受信機１１１０と、データを保存するメモリ１１３０と、送受信機１１１０及びメモリ１１３０と連動して多様に要求される処理手順を行うプロセッサ１１２０とから構成される。ここで、プロセッサ１１２０は、シグナル処理をサポートするために、ソフト結合モジュール１１２２のようなハードウェア及び／又はソフトウェア構成要素（モジュール）を含む。入力手段１１４０（例えば、聴覚、視覚、及び／又は触覚的入力が可能なマイク、キーパッド、機能ボタン、タッチセンサー式入力装置など）及び出力手段１１５０（例えば、聴覚、視覚、及び／又は触覚的出力を提供するスピーカ、ディスプレイ手段、タッチスクリーン、振動手段など）も本発明の移動端末１１００の一部である。
【００８０】
本発明は、少なくとも１つのアクセスネットワーク及び複数の端末を有する通信システムのための１対多サービス方法を提供し、前記方法は、同一の論理チャネルを伝送する同一ゾーン内のセクターがパケットデータを伝送するために異なる伝送データレートを用いるようにアクセスネットワークを構成する段階と、前記異なる伝送データレートを用いてそれぞれの端末に１対多サービスを提供する段階とから構成される。
【００８１】
ここで、前記構成段階は、前記異なる伝送データレートに関連した伝送フォーマットを使用する段階を含み、ここで、前記伝送フォーマットは、互いに比率可変的（ｒａｔｅ−ｃｏｍｐａｔｉｂｌｅ）である。前記異なるデータレートは、各セクターのチャネル条件に基づく。前記アクセスネットワークは、各セクターに関連した少なくとも１つの基地局を含む。各セクターは、基地局又はセルに関連する。
【００８２】
前記提供段階は、伝送フォーマットを利用するパケットをスロットとともに伝送する段階を含み、ここで、各パケットの１番目のスロットの伝送時間は、同一の論理チャネルを伝送する全てのセクターに同期する。１つのセクターは、１つのスロットの長さを有する伝送フォーマットを使用し、他のセクターは、３つのスロットの長さを有する比率可変的な伝送フォーマットを使用する。１つのセクターは、スロットの１番目のスロットの長さを有する伝送フォーマットを使用し、他のセクターは、スロットの２番目のスロットの長さを有する比率可変的な伝送フォーマットを使用する。前記１番目のスロット及び２番目のスロットの数は同一でもよく、異なってもよい。
【００８３】
前記提供段階は、代表セクターにより使用される伝送フォーマットを明記するブロードキャストオーバーヘッドメッセージを送信する段階を含む。前記伝送フォーマットは、周期を示すために利用されるフィールドを使用し、ここで、前記周期は、所定インタレース・マルチプレックスペア上のパケットの連続的な伝送間のスロットの数を示す。前記フィールドの値は、前記伝送フォーマットの長さより長いか、前記伝送フォーマットの長さと同一である。１つのセクターに関連した周期の少なくとも１つの残りのスロットは、ユニキャスト伝送のために使用される。
【００８４】
前記構成段階は、各基地局のチャネル条件によって隣接セクターの少なくとも１つの基地局に可変伝送データレートを独立して割り当てる段階を含む。
【００８５】
また、本発明は、少なくとも１つのアクセスネットワーク及び複数の端末を有する通信システムのための１対多サービス方法を提供し、前記方法は、同一ゾーンのセクターが１つのパケットに関連した所定数のサブパケットを形成するようにアクセスネットワークを構成する段階と、前記１つのパケットに関する所定数のサブパケットを各セクターから伝送する段階とから構成され、ここで、前記所定数のサブパケットは、各セクターにより独立して決定される。
【００８６】
前記サブパケットは、一定間隔で伝送される。１つのセクターがある一定期間に最大数より少ない数のサブパケットを伝送すると、前記１つのパケットと関連していない１つ以上のサブパケットが前記１つのセクターにより伝送される。前記最大数は、最悪のセクターの伝送能力に基づく。前記１つのセクターが最大数より少ない数のサブパケットを伝送することは、前記１つのセクターが少なくとも１つの異なるセクターより少ない数のサブパケットを伝送することを意味する。前記関連していないサブパケットは、前記１つのパケットに関連したさらなるサブパケットがスケジューリングされるスロット内でスケジューリングされると、前記ある一定期間に伝送される。前記関連していないサブパケットは、前記ある一定期間に伝送された前記１つのパケットのさらなるサブパケットを代替する。
【００８７】
前記構成段階は、前記異なるデータレートに関連した伝送フォーマットを使用し、ここで、前記伝送フォーマットは互いに比率可変的であり、前記異なるデータレートは、各セクターのチャネル条件に基づく。
【００８８】
前記伝送段階は、スロットを有する伝送フォーマットを使用し、ここで、各パケットの１番目のスロットの伝送時間は、同一の論理チャネルを伝送する全てのセクターに同期される。１つのセクターは、１つのスロットの長さを有する伝送フォーマットを使用するが、他のセクターは、３つのスロットの長さを有する比率可変的な伝送フォーマットを使用する。前記伝送フォーマットは、周期を示すために利用されるフィールドを使用し、ここで、前記周期は、所定のインタレース・マルチプレックスペア上のパケットの連続的な伝送間のスロットの数を示す。前記フィールドの値は、前記伝送フォーマットの長さより大きいか、前記伝送フォーマットの長さと同一である。前記少なくとも２つの異なるセクターから伝送されるサブパケットの数は、異なるか、又は、同一である。
【００８９】
さらに、本発明は、１対多サービスをサポートしてアクセスネットワークに通信する端末を提供し、前記端末は、１つの特定パケットに関連した所定数のサブパケットを１つ以上のセルから受信し、必要な場合、同一のサブパケットを２つ以上のセルから受信し、各セルは、ある一定期間に１つ以上のサブパケットを伝送する送受信機と、前記送受信機と連動して前記送受信機を経て２つ以上のセルから受信された前記同一のサブパケットのソフト結合を行うプロセッサとから構成される。
【００９０】
前記１つの特定パケットに関連した一定数のサブパケットは、同一のゾーンのセルが前記一定数のサブパケットを決定するように構成されたアクセスネットワークにより形成され、ここで、前記一定数のサブパケットは、各セルにより独立して決定される。前記サブパケットを伝送するセルのうち、最も不良なチャネル条件を有する最悪のセルは、ある一定期間に複数のサブパケットを伝送する。前記最悪のセルでないセルは、前記最悪のセルがセル自身の複数のサブパケットを伝送するとき、ある一定期間に１つの特定パケットに関連していないデータを伝送できる。前記データは、ユニキャスト方式で受信され、ＦＴＰダウンロードに関連する。
【００９１】
前記セルは、基地局に関連し、前記送受信機及びプロセッサはさらに連動し、前記受信機は、ソフト結合に関連した初期数の基地局から１つのパケットに関連した１つ以上の初期サブパケットを受信し、ソフト結合に関連した追加数の基地局から前記１つのパケットに関連した１つ以上の追加サブパケットを受信し、前記プロセッサは、ソフト結合を行った後、基地局から受信されたサブパケットを復号化し、ここで、前記初期数の基地局と前記追加数の基地局は、それぞれのチャネル条件に基づいて柔軟に調節される。
【００９２】
前記送受信機及び前記プロセッサは、さらに連動することにより、ソフト結合に関連した各基地局からいくつのサブパケットが伝送されるかに関する情報を含むブロードキャストオーバーヘッドメッセージをサービング基地局から受信する。
【００９３】
本発明は、サービング基地局及び隣接基地局を含む複数の基地局との通信における端末の１対多サービス受信方法を提供し、前記方法は、ソフト結合に関連した第１基地局から１つのパケットに関連した１つ以上の第１サブパケットを受信する段階と、ソフト結合に関連した第２基地局から前記１つのパケットに関連した１つ以上の第２サブパケットを受信する段階と、ソフト結合を行った後、基地局から受信されたサブパケットを復号化する段階とから構成され、ここで、前記第１基地局及び第２基地局は、該当基地局のチャネル条件に基づいて変化する。
【００９４】
ソフト結合に関連した第ｎ基地局から前記１つのパケットに関連した１つ以上の第ｎサブパケットを受信する段階をさらに含み、ここで、前記第１、第２、及び第ｎ基地局は、該当基地局のチャネル条件に基づいて変化する。前記方法は、前記受信段階の以前に、ソフト結合に関連した各基地局からいくつのサブパケットが伝送されるかに関する情報を含むブロードキャストオーバーヘッドメッセージをサービング基地局から受信する段階をさらに含む。前記方法は、前記サービング基地局が他の隣接基地局より少ない数のサブパケットを伝送すると、残りのスロットにより前記サービング基地局から伝送されるユニキャストデータを受信するために準備する段階をさらに含む。
【００９５】
上述したように、当該技術分野における通常の知識を有する者であれば、ここに記載された実施形態及び添付した図面に制限されることなく、多様な代替、変更、及び変形が本発明の技術的範囲内に可能であることを理解できるであろう。
【００９６】
本明細書は、本発明の多様な実施形態を示す。請求の範囲は、前記明細書に記載の実施形態の多様な変形及び同等な修正を含む。従って、請求項は、ここに記載された本発明の精神及び範囲に合致する変更、同等な構造及び特性を含むように広範囲に解析されるべきである。
【図面の簡単な説明】
【００９７】
【図１】ＨＡＲＱをパケットインタレース構造に実現する方法の例を示す図である。
【図２】ペイロードサイズと変調方法が固定されている間にサブパケットの数が変化するときに提供できるデータレートのタイプの例を示す図である。
【図３】インタレース・マルチプレックスペア構造を利用したブロードキャスト／マルチキャストデータ伝送方法の例を示す図である。
【図４】ブロードキャスト／マルチキャストサービスのためのゾーン構造の例を示す図である。
【図５】１つのゾーン内でそれぞれ異なるチャネル環境を有するセルを説明するための例を示す図である。
【図６】従来のブロードキャスト／マルチキャストデータ伝送方法の例を示す図である。
【図７】従来のブロードキャスト／マルチキャストデータ伝送方法の他の例を示す図である。
【図８】本発明の第１実施形態によるパケットデータチャネルでのブロードキャスト／マルチキャストデータ伝送方法の例を示す図である。
【図９】本発明の第２実施形態によるパケットデータチャネルでのブロードキャスト／マルチキャストデータ伝送方法の例を示す図である。
【図１０】移動局でブロードキャスト／マルチキャストデータを受信する方法の例を示すフローチャートである。
【図１１】本発明の特徴をサポートする移動局の構造の例を示す図である。
【図１】
2008529401.tif 000008
【図２】
2008529401.tif 000009
【図３】
2008529401.tif 000010
【図４】
2008529401.tif 000011
【図５】
2008529401.tif 000012
【図６】
2008529401.tif 000013
【図７】
2008529401.tif 000014
【図８】
2008529401.tif 000015
【図９】
2008529401.tif 000016
【図１０】
2008529401.tif 000017
【図１１】
2008529401.tif 000018
【国際調査報告】
2008529401.tif 000019
2008529401.tif 000020